(57)【特許請求の範囲】
【請求項１】
被写体の内部に挿入される挿入部と、
前記挿入部に設けられ、前記被写体の第１の領域から所定の対象物の像を含む第１の被写体像を取得する第１の被写体像取得部と、
前記挿入部に設けられ、前記第１の領域とは少なくとも一部が異なる前記被写体の第２の領域から前記対象物の像を含む第２の被写体像を取得する第２の被写体像取得部と、
前記第１の被写体像と前記第２の被写体像とが隣接するよう並べて配置した画像の信号を生成する画像信号生成部と、
前記画像において、前記第１の被写体像中の前記対象物の像と、前記第２の被写体像中の前記対象物の像との配置のずれに関するズレ量の情報を記録する記録部と、
前記ズレ量に応じて前記第１の被写体像中の前記対象物の像と、前記第２の被写体像中の前記対象物の像のうち少なくともいずれかの配置を変化させて、前記第１の被写体像中の前記対象物の像の位置と、前記第２の被写体像中の前記対象物の像の位置とを合わせる処理を、前記画像に対して行う画像処理部と、
を備えることを特徴とする内視鏡システム。
【請求項２】
前記画像において、前記第１の被写体像中の前記対象物の像と、前記第２の被写体像中の前記対象物の像との配置のずれに関する前記ズレ量を算出する算出部をさらに有することを特徴とする請求項１に記載の内視鏡システム。
【請求項３】
前記画像処理部は、前記第１の被写体像に含まれる前記対象物の像の第１の中心軸と、前記第２の被写体像に含まれる前記対象物の像の第２の中心軸とを検出するとともに、前記第１及び前記第２の中心軸が略一致するように、前記第１の被写体像と前記第２の被写体像との内、少なくともいずれかに対して、配置を変化させる処理を前記画像に対して行うことを特徴とする請求項１に記載の内視鏡システム。
【請求項４】
前記画像処理部は、前記第１の被写体像と前記第２の被写体像との内、少なくともいずれかを回転移動させる処理を前記画像に対して行うことを特徴とする請求項３に記載の内視鏡システム。
【請求項５】
前記画像処理部は、前記第１の中心軸と、前記第２の中心軸との開き角度を算出するとともに、前記第１及び前記第２の中心軸が略一致するように、前記第１の被写体像または前記第２の被写体像のいずれかを回転移動させる処理を前記画像に対して行うことを特徴とする請求項４に記載の内視鏡システム。
【請求項６】
前記第１及び第２の被写体像に含まれる前記対象物の像は、前記挿入部の先端から突出した処置具の像であることを特徴とする請求項３に記載の内視鏡システム。
【請求項７】
前記画像処理部は、前記第１の被写体像と前記第２の被写体像との内、少なくともいずれかに対しさらに平行移動または拡大率の変化を行って前記第１の被写体像中の前記対象物の像の端部と、前記第２の被写体像中の前記対象物の像の端部とを合わせる処理を前記画像に対して行うことを特徴とする請求項４に記載の内視鏡システム。
【請求項８】
前記画像信号生成部から出力され、前記画像処理部で処理された、前記第１の被写体像及び前記第２の被写体像を含む画像信号を表示する１つ又は複数の表示部をさらに備えることを特徴とする請求項１に記載の内視鏡システム。
【請求項９】
前記画像信号生成部は、前記第１の被写体像に基づく画像信号及び前記第２の被写体像に基づく画像信号の重複する領域を除去した各々の画像信号を前記モニタに出力することを特徴とする請求項８に記載の内視鏡システム。
【請求項１０】
前記第１の被写体像は、前記挿入部の長手方向に略平行な挿入部前方を含む前記第１の領域の被写体像であり、
前記第２の被写体像は、前記挿入部の長手方向と交差する方向の挿入部側方を含む前記第２の領域の被写体像であり、
前記第１の被写体像取得部は、前記第１の領域の被写体像を取得する前方画像取得部であり、
前記第２の被写体像取得部は、前記第２の領域の被写体像を取得する側方画像取得部であることを特徴とする請求項１に記載の内視鏡システム。
【請求項１１】
前記画像処理部は、前記第１の被写体像の中心を基準として、前記第１及び前記第２の被写体像全体の少なくとも回転方向を変化させた処理を前記画像に対して行うことを特徴とする請求項４に記載の内視鏡システム。
【請求項１２】
前記第２の被写体像取得部は、前記挿入部の周方向に略均等な角度で複数配置されており、
前記画像信号生成部は、前記第１の被写体像を中心に配置し、前記第２の被写体像を前記第１の被写体像の周方向に略均等な角度で複数配置した画像信号を生成することを特徴とする請求項１に記載の内視鏡システム。
【請求項１３】
前記第１の被写体像取得部は、前記挿入部の長手方向先端部に、前記挿入部が挿入される方向に向けて配置され、
前記第２の被写体像取得部は、前記挿入部の側面に、前記挿入部の周方向に向けて配置され、
前記第１の被写体像取得部からの前記第１の被写体像を光電変換する第１の撮像部と、前記第２の被写体像取得部からの前記第２の被写体像を光電変換する第２の撮像部とが別々に設けられるとともに、前記第１の撮像部と前記第２の撮像部とが前記画像信号生成部に電気的に接続されていることを特徴とする請求項１に記載の内視鏡システム。
【請求項１４】
前記第１の被写体像取得部は、前記挿入部の長手方向先端部に、前記挿入部が挿入される方向に配置され、
前記第２の被写体像取得部は、前記挿入部の周方向を囲むように配置され、
前記第１の被写体像取得部からの前記第１の被写体像と前記第２の被写体像取得部からの前記第２の被写体像とを同じ面で光電変換するように配置されるとともに、前記画像信号生成部に電気的に接続されている撮像部を備えることを特徴とする請求項１に記載の内視鏡システム。
【請求項１５】
前記画像信号生成部は、前記第１の被写体像が略円形状になっており、前記第２の被写体像が前記第１の被写体像の周囲を囲む略円環状となっている画像信号を生成することを特徴とする請求項１４に記載の内視鏡システム。
【発明の詳細な説明】
【技術分野】
【０００１】
本発明は、内視鏡システムに関し、特に、直視方向及び側視方向を同時に観察することが可能な内視鏡システムに関するものである。
【背景技術】
【０００２】
被検体の内部の被写体を撮像する内視鏡、及び、内視鏡により撮像された被写体の観察画像を生成する画像処理装置等を具備する内視鏡システムが、医療分野及び工業分野等において広く用いられている。【０００３】
例えば、特許第４９５５８３８号公報には、挿入部の先端部の先端面から突出する突出部が設けられて、この突出部の先端面に前方に位置する被検体を観察する前方観察用レンズが設けれ、突出部の周囲に、突出部の周囲に対向して位置する被検体を観察する周囲観察用レンズが設けられた内視鏡を備える内視鏡システムが開示されている。【０００４】
この内視鏡は、前方観察用レンズで観察された被検体を撮像素子の中心部に円形の領域で撮像し、周囲観察用レンズで観察された被検体を、同じ撮像素子の円形の領域の外周の円環の領域で撮像する。これにより、前方の画像が円形の直視視野画像として中心部に形成され、周囲方向の画像が円環形状の側視視野画像として直視視野画像の外周部に形成された内視鏡画像がモニタ上に表示される。【０００５】
また、特許第３３３７６８２号公報には、挿入部の先端部の先端面に直視視野画像を取得する直視観察用レンズが設けられ、先端部の周方向に側視視野画像を取得する複数の側視観察用レンズが設けられた内視鏡を備える内視鏡システムが開示されている。【０００６】
この内視鏡は、直視観察用レンズ及び複数の側視観察用レンズの結像位置にそれぞれ撮像素子が設けられており、これらの撮像素子により直視視野画像及び複数の側視視野画像を撮像する。そして、直視視野画像が中央に配置され、複数の側視視野画像が直視視野画像の両隣に配置され、モニタ上に表示される。【０００７】
特許第４９５５８３８号公報及び特許第３３３７６８２号公報に開示されている内視鏡で処置具を挿通させると、直視視野画像、側視視野画像のそれぞれで処置具の摺動が観察される。【０００８】
しかしながら、これらの内視鏡は、直視視野と側視視野とが別々の観察領域であるため、直視視野画像と側視視野画像とで処置具の摺動軌道が不連続になる場合がある。このように、処置具の像が不連続になると、処置具の視認性、処置の作業性が低下するという問題がある。【０００９】
処置具の像が不連続になる原因は、直視視野用レンズと側視視野用レンズのチルトやシフト、または対物光学系の枠組付け時の加工誤差等が挙げられる。これらの原因である誤差を内視鏡の製造時に抑制することは、加工、組み立てを極めて厳密に行わなければならないため、内視鏡の製造・加工の手間が増えるという問題がある。【００１０】
そこで、本発明は、内視鏡の製造・加工の手間を増やすことなく、直視視野と側視視野とで観察された視野内の対象物の像を連続させることで、複数視野を有する内視鏡下での処置具による処置の作業性を向上させることができる内視鏡システムを提供することを目的とする。
【発明の開示】
【課題を解決するための手段】
【００１１】
本発明の一態様の内視鏡システムは、被写体の内部に挿入される挿入部と、前記挿入部に設けられ、前記被写体の第１の領域から所定の対象物の像を含む第１の被写体像を取得する第１の被写体像取得部と、前記挿入部に設けられ、前記第１の領域とは少なくとも一部が異なる前記被写体の第２の領域から前記対象物の像を含む第２の被写体像を取得する第２の被写体像取得部と、前記第１の被写体像と前記第２の被写体像とが隣接するよう並べて配置した画像の信号を生成する画像信号生成部と、前記画像において、前記第１の被写体像中の前記対象物の像と、前記第２の被写体像中の前記対象物の像との配置のずれに関するズレ量の情報を記録する記録部と、前記ズレ量に応じて前記第１の被写体像中の前記対象物の像と、前記第２の被写体像中の前記対象物の像のうち少なくともいずれかの配置を変化させて、前記第１の被写体像中の前記対象物の像の位置と、前記第２の被写体像中の前記対象物の像の位置とを合わせる処理を、前記画像に対して行う画像処理部と、
を備える。
【図面の簡単な説明】
【００１２】
【図１】第１の実施形態に係る内視鏡システムの構成を示す図である。
【図２】内視鏡の挿入部の先端部の構成を示す斜視図である。
【図３】内視鏡の挿入部の先端部の構成を示す正面図である。
【図４】モニタに表示される観察画像の一例を示す図である。
【図５】第１の実施形態における要部の構成を示す図である。
【図６】第１の実施形態における画像処理部の構成を示す図である。
【図７Ａ】モニタに表示される処置具の像を含む観察画像の一例を示す図である。
【図７Ｂ】モニタに表示される処置具の像を含む観察画像の一例を示す図である。
【図７Ｃ】モニタに表示される処置具の像を含む観察画像の一例を示す図である。
【図７Ｄ】モニタに表示される処置具の像を含む観察画像の一例を示す図である。
【図７Ｅ】モニタに表示される処置具の像を含む観察画像の一例を示す図である。
【図８】第１の実施形態の画像処理部による画像処理の一例について説明するためのフローチャートである。
【図９】第２の実施形態に係る内視鏡の挿入部の先端部の構成を示す斜視図である。
【図１０】第２の実施形態における要部の構成を示す図である。
【図１１Ａ】モニタに表示される処置具の像を含む観察画像の一例を示す図である。
【図１１Ｂ】モニタに表示される処置具の像を含む観察画像の一例を示す図である。
【図１２】第３の実施形態に係る画像処理部の構成を説明するための図である。
【図１３Ａ】モニタに表示される処置具の像を含む観察画像の一例を示す図である。
【図１３Ｂ】モニタに表示される処置具の像を含む観察画像の一例を示す図である。
【図１３Ｃ】モニタに表示される処置具の像を含む観察画像の一例を示す図である。
【図１４】第３の実施形態の画像処理部による画像処理の一例について説明するためのフローチャートである。
【図１５Ａ】モニタに表示される処置具の像を含む観察画像の一例を示す図である。
【図１５Ｂ】モニタに表示される処置具の像を含む観察画像の一例を示す図である。
【図１６】第４の実施形態の画像処理部による画像処理の一例について説明するためのフローチャートである。
【図１７Ａ】モニタに表示される処置具の像を含む観察画像の一例を示す図である。
【図１７Ｂ】モニタに表示される処置具の像を含む観察画像の一例を示す図である。
【図１８】第５の実施形態の画像処理部による画像処理の一例について説明するためのフローチャートである。
【図１９Ａ】第３の実施形態の内視鏡システムに対して、第２の実施形態の内視鏡システムを適用した際の画面表示の例を示す図である。
【図１９Ｂ】第４の実施形態の内視鏡システム１に対して、第２の実施形態の内視鏡システム１を適用した例である。
【図１９Ｃ】第５の実施形態の内視鏡システム１に対して、第２の実施形態の内視鏡システム１を適用した例である。
【図１９Ｄ】第３、第４及び第５の実施形態を組み合わせた内視鏡システム１に対して、第２の実施形態の内視鏡システム１を適用した例である。
【図１９Ｅ】重複する部分を画像信号から削除して表示させる例である。
【図２０】側方観察用のユニットが取り付けられた挿入部４の先端部６の斜視図である。
【図２１】第６の実施形態における要部の構成を示す図である。
【発明を実施するための最良の形態】
【００１３】
以下、図面を参照して本発明の実施形態を説明する。【００１４】
（第１の実施形態）
まず、図１から図８を用いて第１の実施形態の内視鏡システムの構成について説明する。図１は、第１の実施形態に係る内視鏡システムの構成を示す図であり、図２は、内視鏡の挿入部の先端部の構成を示す斜視図であり、図３は、内視鏡の挿入部の先端部の構成を示す正面図であり、図４は、モニタに表示される観察画像の一例を示す図であり、図５は、第１の実施形態における要部の構成を示す図であり、図６は、第１の実施形態における画像処理部の構成を示す図であり、図７Ａ〜図７Ｅは、モニタに表示される処置具の像を含む観察画像の一例を示す図である。また、図８は、画像処理の一例について説明するためのフローチャートである。【００１５】
図１に示すように、内視鏡システム１は、観察対象物を撮像して撮像信号を出力する内視鏡２と、観察対象物を照明するための照明光を供給する光源装置３１と、撮像信号に応じた映像信号（画像信号）を生成及び出力する画像信号生成部としての機能を有するビデオプロセッサ３２と、映像信号（画像信号）に応じた観察画像を表示するモニタ３５と、を有している。【００１６】
内視鏡２は、術者が把持して操作を行う操作部３と、操作部３の先端側に形成され、体腔内等に挿入される細長の挿入部４と、操作部３の側部から延出するように一方の端部が設けられたユニバーサルコード５と、を有して構成されている。【００１７】
本実施形態の内視鏡２は、複数の視野画像を表示させることで１８０度以上の視野を観察可能な広角内視鏡であり、体腔内、特に大腸内において、襞の裏や臓器の境界等、直視方向の観察だけでは見難い場所の病変を見落とすことを防ぐことを実現する。大腸内に内視鏡２の挿入部４を挿入するにあたっては、通常の大腸内視鏡と同様、挿入部２に捻り、往復運動、腸壁のフックを行うことによる仮固定等の動作が発生する。【００１８】
挿入部４は、最も先端側に設けられた硬質の先端部６と、先端部６の後端に設けられた湾曲自在の湾曲部７と、湾曲部７の後端に設けられた長尺かつ可撓性を有する可撓管部８と、を有して構成されている。また、湾曲部７は、操作部３に設けられた湾曲操作レバー９の操作に応じた湾曲動作を行う。【００１９】
一方、図２に示すように、挿入部４の先端部６には、先端部６の先端面の中央から上方寄りに偏心した位置から突出して設けられた、円柱形状の円筒部１０が形成されている。【００２０】
円筒部１０の先端部には、直視及び側視を兼ねる図示しない対物光学系が設けられている。また、円筒部１０の先端部は、前記図示しない対物光学系の直視方向に相当する箇所に配置された直視観察窓１２と、前記図示しない対物光学系の側視方向に相当する箇所に配置された側視観察窓１３と、を有して構成されている。さらに、円筒部１０の基端付近には、側視方向を照明するための光を出射する側視照明部１４が形成されている。【００２１】
側視観察窓１３は、円柱形状の円筒部１０における周方向から入射される観察対象物からの戻り光（反射光）を側視視野内に捉えることにより側視視野画像を取得可能とするための、側視用ミラーレンズ１５を備えている。【００２２】
なお、前記図示しない対物光学系の結像位置には、直視観察窓１２の視野内の観察対象物の画像が円形の直視視野画像として中心部に形成され、かつ、側視観察窓１３の視野内の観察対象物の画像が円環形状の側視視野画像として直視視野画像の外周部に形成されるように、図５に示す撮像素子３０（の撮像面）が配置されているものとする。【００２３】
このような画像は、側視用ミラーレンズ１５で戻り光を２回反射させる２回反射光学系を用いることで実現させているが、戻り光を１回反射光学系により１回反射させて形成し、これをビデオプロセッサ３２で画像処理し、側視視野画像と直視視野画像との向きを合わせてもよい。【００２４】
先端部６の先端面には、円筒部１０に隣接する位置に配置され、直視観察窓１２の直視視野の範囲に照明光を出射する直視照明窓１６と、挿入部４内に配設されたチューブ等により形成された図示しない処置具チャンネルに連通するとともに、処置具チャンネルに挿通された処置具（の先端部）を突出させることが可能な先端開口部１７と、が設けられている。【００２５】
また、挿入部４の先端部６は、先端部６の先端面から突出するように設けられた支持部１８を有し、この支持部１８は円筒部１０の下部側に隣接して位置する。【００２６】
支持部１８は、先端部６の先端面から突出させるように配置された各突出部材を支持（または保持）可能に構成されている。具体的には、支持部１８は、前述の各突出部材としての、直視観察窓１２を洗浄するための気体または液体を射出する直視観察窓用ノズル部１９と、直視方向を照明するための光を出射する直視照明窓２１と、側視観察窓１３を洗浄するための気体または液体を射出する側視観察窓用ノズル部２２と、をそれぞれ支持（または保持）可能に構成されている。【００２７】
一方、支持部１８は、本来の観察対象物とは異なる物体である前述の各突出部材が側視視野内に現れることにより、各突出部材のいずれかを含むような側視視野画像を取得してしまわないようにするための、光学的な遮蔽部材である遮蔽部１８ａを有して形成されている。すなわち、遮蔽部１８ａを支持部１８に設けることにより、直視観察窓用ノズル部１９、直視照明窓２１、及び、側視観察窓用ノズル部２２がいずれも含まれないような側視視野画像を得ることができる。【００２８】
側視観察窓用ノズル部２２は、図２及び図３に示すように、支持部１８の２箇所に設けられているとともに、支持部１８の側面に先端が突出するように配置されている。【００２９】
操作部３には、図１に示すように、直視観察窓１２を洗浄するための気体または液体を直視観察窓用ノズル部１９から射出させる操作指示が可能な送気送液操作ボタン２４ａと、側視観察窓１３を洗浄するための気体または液体を側視観察窓用ノズル部２２から射出させる操作指示が可能な送気送液操作ボタン２４ｂと、が設けられ、この送気送液操作ボタン２４ａ及び２４ｂの押下により送気と送液とが切り替え可能である。また、本実施形態では、それぞれのノズル部に対応するように複数の送気送液操作ボタンを設けているが、例えば１つの送気送液操作ボタンの操作により直視観察窓用ノズル部１９、側視観察窓用ノズル部２２の両方から気体または液体が射出されるようにしてもよい。【００３０】
スコープスイッチ２５は、操作部３の頂部に複数設けられており、内視鏡２において使用可能な種々の記載のオンまたはオフ等に対応した信号を出力させるように、各スイッチ毎の機能を割り付けることが可能な構成を有している。具体的には、スコープスイッチ２５には、例えば、前方送水の開始及び停止、フリーズの実行及び解除、及び、処置具の使用状態の告知等に対応した信号を出力させる機能を、各スイッチ毎の機能として割り付けることができる。【００３１】
なお、本実施形態においては、送気送液操作ボタン２４ａ及び２４ｂのうちの少なくともいずれか一方の機能を、スコープスイッチ２５のうちのいずれかに割り付けるようにしてもよい。【００３２】
また、操作部３には、体腔内の粘液等を先端開口部１７より吸引して回収するための指示を図示しない吸引ユニット等に対して行うことが可能な吸引操作ボタン２６が配設されている。【００３３】
そして、図示しない吸引ユニット等の動作に応じて吸引された体腔内の粘液等は、先端開口部１７と、挿入部４内の図示しない処置具チャンネルと、操作部３の前端付近に設けられた処置具挿入口２７とを経た後、図示しない吸引ユニットの吸引ボトル等に回収される。【００３４】
処置具挿入口２７は、挿入部４内の図示しない処置具チャンネルに連通しているとともに、図示しない処置具を挿入可能な開口として形成されている。すなわち、術者は、処置具挿入口２７から処置具を挿入し、処置具の先端側を先端開口部１７から突出させることにより、処置具を用いた処置を行うことができる。【００３５】
一方、図１に示すように、ユニバーサルコード５の他方の端部には、光源装置３１に接続可能なコネクタ２９が設けられている。【００３６】
コネクタ２９の先端部には、流体管路の接続端部となる口金（図示せず）と、照明光の供給端部となるライトガイド口金（図示せず）とが設けられている。また、コネクタ２９の側面には、接続ケーブル３３の一方の端部を接続可能な電気接点部（図示せず）が設けられている。さらに、接続ケーブル３３の他方の端部には、内視鏡２とビデオプロセッサ３２と電気的に接続するためのコネクタが設けられている。【００３７】
ユニバーサルコード５には、種々の電気信号を伝送するための複数の信号線、及び、光源装置３１から供給される照明光を伝送するためのライトガイドが束ねられた状態として内蔵されている。【００３８】
挿入部４からユニバーサルコード５にかけて内蔵された前記ライトガイドは、光出射側の端部が挿入部４付近において少なくとも２方向に分岐されるとともに、一方の側の光出射端面が直視照明窓１６及び２１に配置され、かつ、他方の側の光出射端面が側視照明部１４に配置されるような構成を有している。また、前記ライトガイドは、光入射側の端部がコネクタ２９のライトガイド口金に配置されるような構成を有している。【００３９】
なお、直視照明窓１６及び２１、側視照明部１４に配置される光出射部は、ライトガイドに代えて発光ダイオード（ＬＥＤ）のような発光素子であってもよい。【００４０】
ビデオプロセッサ３２は、内視鏡２の先端部６に設けられた撮像素子を駆動するための駆動信号を出力する。そして、ビデオプロセッサ３２は、前記撮像素子から出力される撮像信号に対して信号処理を施すことにより、映像信号（画像信号）を生成してモニタ３５へ出力する画像信号生成部として機能する。【００４１】
これにより、円形形状をなす直視視野画像と、直視方向の画像の外周において円環形状をなす側視視野画像とを具備した観察画像、つまり直視視野画像に側視視野画像が隣り合った状態で、直視視野画像に側視視野画像が囲い込むように並べた画像が、例えば図４に示すような態様によりモニタ３５に表示される。なお、本実施形態及び以降の実施形態において示される観察画像においては、支持部１８の遮蔽部１８ａにより光学的に遮蔽される部分を考慮しないものとする。また、モニタ３５に表示される直視視野画像及び側視視野画像は、それぞれ図４に示す円形形状及び円環形状に限定されることなく、他の表示態様であってもよい。【００４２】
光源装置３１、ビデオプロセッサ３２及びモニタ３５等の周辺装置は、患者情報の入力等を行うキーボード３４とともに、架台３６に配置されている。【００４３】
図５に示すように、ビデオプロセッサ３２は、画像処理部３２ａと、画像出力部３２ｂとを少なくとも有して構成されている。【００４４】
第１の被写体像取得部を構成する直視観察窓１２は、挿入部４の長手方向に略平行な前方を含む直視方向（第１の方向）、つまり被写体の第１の領域から第１の被写体像を取得し、第２の被写体像取得部を構成する側視観察窓１３は、直視方向（第１の方向）とは少なくとも一部が異なる挿入部４の長手方向とは交差する方向を含む側視方向（第２の方向）、つまり被写体の第２の領域から第２の被写体像を取得する。【００４５】
なお、第１の被写体像と第２の被写体像との境界領域は、重複していても、あるいは、重複していなくてもよく、上記境界領域が重複している状態の場合、第１の被写体像取得部と第２の被写体像取得部とで重複した被写体像を取得してもよい。【００４６】
撮像素子３０は、直視方向の被写体像と側視方向の被写体像とを同じ面で光電変換する。撮像素子３０は、画像処理部３２ａに電気的に接続されており、直視観察窓１２及び側視観察窓１３で取得された被写体像を画像処理部３２ａに出力する。【００４７】
画像処理部３２ａは、直視視野画像に含まれる処置具の像と、側視視野画像に含まれる処置具の像を認識する。そして、画像処理部３２ａは、直視視野画像に含まれる処置具の像の中心軸と、側視視野画像に含まれる処置具の像の中心軸とが略一致するように、直視視野画像と側視視野画像との内、少なくともいずれかに対して、配置を変化させた画像信号を生成する。【００４８】
画像出力部３２ｂは、画像処理部３２ａにより生成された画像信号からモニタ３５に表示するための信号を生成し、モニタ３５に出力する。【００４９】
図６に示すように、画像処理部３２ａは、画像認識部４１と、中心軸認識部４２と、画像移動量算出部４３と、画像生成部４４とを有して構成されている。【００５０】
画像認識部４１は、所定の対象物の像、例えば側視視野で観察された処置具の像、及び、直視視野で観察された処置具の像を認識する。例えば、画像認識部４１は、処置具の先端開口部１７から突出する位置が固定であるため、その方向から突出してして進行する物体を処置具と認識する。あるいは、画像認識部４１は、処置具の摺動する方向を動きから演算して処置具を認識するようにしてもよいし、処置具の太さや輪郭を画像コントラストから認識することで、処置具を認識するようにしてもよい。【００５１】
中心軸認識部４２は、画像認識部４１により認識された側視視野で観察された処置具の像、及び、直視視野で観察された処置具の像から、それぞれの像の中心軸を算出して中心軸を認識する。例えば、中心軸は処置具の太さの画像コントラストと、その処置具の突出される移動方向から処置具の中心軸を認識する。【００５２】
これらの処理を行うことにより、直視視野画像に含まれる処置具等の対象物と、側視視野画像に含まれる処置具等の対象物とが違和感なく隣接した位置に配置されることになる。【００５３】
画像移動量算出部４３は、直視視野及び側視視野で観察された処置具の像に対して、各中心軸の座標位置の画像中心（光軸中心）から各中心軸の開き角を算出する。【００５４】
画像生成部４４は、直視視野画像と側視視野画像の境界を認識して、側視視野画像のみを切り出し、処置具の像の傾きの座標が一致するように、画像移動量算出部４３で算出された開き角に基づき、側視視野画像を画像中心を起点として回転移動し、側視視野で観察された処置具の像の中心軸と、直視視野で観察された処置具の像の中心軸とが略一致した画像信号を生成する。【００５５】
なお、画像生成部４４は、直視視野画像の処置具の像と側視視野画像の処置具の像とが略一致するように、直視視野画像を回転移動させてもよいし、直視視野画像及び側視視野画像の両方を回転移動させてもよい。【００５６】
例えば、図７Ａに示すように、直視視野画像の処置具の像５０と、側視視野画像の処置具の像５１とがずれている場合、画像生成部４４は、図７Ｄに示すように、側視視野画像を画像中心を起点として回転移動することで、直視視野画像の処置具の像５０と、側視視野画像の処置具の像５１との中心軸を略一致するようにする。【００５７】
なお、画像生成部４４は、図７Ｅに示すように、直視視野画像を画像中心を起点として回転移動してもよい。また、側視視野画像と直視視野画像との両方を回転移動させて、直視視野画像の処置具の像の中心軸と、側視視野画像の処置具の像の中心軸とを略一致させるようにしてもよい。【００５８】
次に、このように構成された内視鏡システム１の動作について説明する。【００５９】
図８は、本実施形態の画像処理部による画像処理の一例について説明するためのフローチャートである。なお、図８のフローチャートでは、処置具の中心軸を略一致するように、側視視野画像を画像中心を起点にして回転移動させる処理について説明するが、これに限定されるものではない。例えば、直視視野画像を画像中心を起点にして回転移動させる処理を行ってもよいし、直視視野画像及び側視視野画像の両方を画像中心を起点にして回転移動させる処理を行ってもよい。【００６０】
まず、処置具が処置具チャンネルに挿通され、先端開口部１７から処置具が突出すると（ステップＳ１）、画像認識部４１が側視視野で観察された処置具を画像から認識する（ステップＳ２）。次に、図７Ｂのように中心軸認識部４２が側視視野で観察された処置具の像の中心軸を算出する（ステップＳ３）。【００６１】
処置具がさらに突出すると直視視野で処置具の像が観察されることになる。すると、画像認識部４１が直視視野で観察された処置具を画像から認識し（ステップＳ４）、図７Ｂのように中心軸認識部４２が直視視野で観察された処置具の像の中心軸を算出する（ステップＳ５）。【００６２】
次に、図７Ｃに示すように、画像移動量算出部４３が各中心軸の座標位置から各中心軸の開き角を算出する（ステップＳ６）。この開き角は画像移動量算出部４３が直視視野で観察された処置具の像の中心軸と平行になるような側視視野で観察された処置具の像の中心軸の補正角度である。【００６３】
画像生成部４４が側視視野画像のみを認識して側視視野画像のみを切り出す（ステップＳ７）。画像生成部４４がそれぞれの処置具の中心軸の傾きが一致するように、切り出した側視視野画像を画像中心を起点にして回転移動する（ステップＳ８）。最後に、画像生成部４４が直視視野画像の処置具の像の中心軸と側視視野画像の処置具の像の中心軸とが略一致した画像信号を生成し（ステップＳ９）、処理を終了する。このように生成された画像信号は、画像出力部３２ｂを介してモニタ３５に表示される。【００６４】
以上のように、内視鏡システム１は、直視視野画像の処置具の像と側視視野画像の処置具の像とのズレを検出して、そのズレ量に応じて直視視野画像または側視視野画像を回転させ、直視視野画像の処置具の像と側視視野画像の処置具の像との中心軸を略一致するようにした。これにより、直視視野画像と側視視野画像の処置具の像の中心軸が略一致するため、処置具の視認性及び操作性を向上させることができる。また、直視視野画像または側視視野画像を画像中心を起点にして回転させているため、各画像の大きさや各画像の中心を変えずに処置具の軸を合わせることができる。【００６５】
よって、本実施形態の内視鏡システムによれば、内視鏡の製造・加工の手間を増やすことなく、直視視野と側視視野とで観察された視野内の対象物（処置具等の像）を連続させることで、複数視野を有する内視鏡下での処置具による処置の作業性を向上させることができる。【００６６】
なお、位置を合わせる対象物の像として、処置具に限らず、例えば体腔内の襞あるいは体腔内に留置しているステントやクリップ等の他の要素であってもよく、上記と同様の手順で前方視野及び側方視野の対象物の認識を行い、前方視野又は側方視野の回転移動を行って位置合わせを行ってもよい。【００６７】
（第２の実施形態）
次に、第２の実施形態について説明する。【００６８】
図９は、第２の実施形態に係る内視鏡の挿入部の先端部の構成を示す斜視図である。【００６９】
図９に示すように、内視鏡２ａの先端部６ａの先端面には、挿入部４の長手方向に略平行な前方を含む直視方向（第１の方向）、つまり被写体の第１の領域を観察するための直視観察窓６０ａが配置され、内視鏡２ａの先端部６ａの側面には、直視方向（第１の方向）とは少なくとも一部が異なる挿入部４の長手方向とは交差する方向を含む側視方向（第２の方向）、つまり被写体の第２の領域を観察するための側視観察窓６０ｂ及び６０ｃが配置されている。側視観察窓６０ｂ及び６０ｃは、先端部６ａの周方向に均等な間隔、例えば、１８０度の間隔で配置されている。直視観察窓６０ａが第１の被写体像取得部を構成し、側視観察窓６０ｂ及び６０ｃの少なくとも１つが第２の被写体像取得部を構成する。【００７０】
なお、先端部６ａの周方向に均等な間隔で配置される側視観察窓６０ｂ及び６０ｃは、２つに限定されるものではなく、例えば１つの側視観察窓を配置する構成であってもよい。また、先端部６ａの周方向に均等な間隔で配置される側視観察窓６０ｂ及び６０ｃは、例えば、周方向に１２０度毎に側視観察窓を配置する（すなわち、３つの側視視野画像を取得する）構成であってもよいし、周方向に９０度毎に側視観察窓を配置する（すなわち、４つの側視視野画像を取得する）構成であってもよい。【００７１】
内視鏡２ａの先端部６ａの先端面には、直視観察窓６０ａに隣接する位置に、直視観察窓６０ａの直視視野の範囲に照明光を出射する直視照明窓６１ａ及び６２ａが配置されている。また、内視鏡２ａの先端部６ａの側面には、側視観察窓６０ｂに隣接する位置に、側視観察窓６０ｂの側視視野の範囲に照明光を出射する側視照明窓６１ｂ及び６２ｂが配置され、側視観察窓６０ｃに隣接する位置に、側視観察窓６０ｃの側視視野の範囲に照明光を出射する側視照明窓６１ｃ及び６２ｃが配置されている。先端部６ａの側面の側視観察窓６０ｂの後方には、処置具６４が突出する先端開口部６３が設けられている。【００７２】
なお、直視照明窓６１ａ、６２ａ、側視照明窓６１ｂ、６２ｂ、及び側視照明窓６１ｃ、６２ｃから照明光を出射する光出射部は、ライトガイド又は発光ダイオード（ＬＥＤ）のような発光素子が挙げられる。【００７３】
図１０は、第２の実施形態における要部の構成を示す図であり、図１１Ａ及び図１１Ｂは、モニタに表示される処置具の像を含む観察画像の一例を示す図である。【００７４】
図１０に示すように、直視観察窓６０ａ及び図示しない対物光学系の結像位置には、撮像素子６５ａが配置されている。また、側視観察窓６０ｂ及び図示しない対物光学系の結像位置には、撮像素子６５ｂが配置され、側視観察窓６０ｃ及び図示しない対物光学系の結像位置には、撮像素子６５ｃが配置されている。【００７５】
撮像素子６５ａ〜６５ｃは、それぞれ画像信号生成部としての機能を有するビデオプロセッサ３２の画像処理部３２ａに電気的に接続されており、撮像素子６５ａで撮像された直視視野画像と、撮像素子６５ｂ及び６５ｃのそれぞれで撮像された側視視野画像とを画像処理部３２ａに出力する。【００７６】
図１１Ａに示すように、画像処理部３２ａは、撮像素子６５ａで撮像された直視視野画像６６ａをモニタ３５の中央に配置し、撮像素子６５ｂで撮像された側視視野画像６６ｂ及び撮像素子６５ｃで撮像された側視視野画像６６ｃが、それぞれ直視視野画像６６ａと両隣になるように隣り合う状態で並べて配置するように画像信号を生成する。【００７７】
さらに、画像処理部３２ａは、直視視野画像６６ａの処置具の像５０の中心軸と、側視視野画像６６ｂの処置具の像５１の中心軸とが略一致するように、側視視野画像６６ｂを回転移動する。このとき、画像処理部３２ａは、側視視野画像６６ｃについても、側視視野画像６６ｂの回転移動量と同量の移動量だけ、側視視野画像６６ｂと逆方向に回転移動させる。【００７８】
なお、画像処理部３２ａによる回転移動処理は、第１の実施の形態と同様である。また、複数の画像をモニタ３５に表示する場合、直視視野画像と側視視野画像とが隣り合っていればよく、直視視野画像６６ａの両隣に側視視野画像６６ｂ及び６６ｃが配置される構成だけに限定せず、直視視野画像６６ａの左右いずれか片隣に側視視野画像、例えば、処置具の像５１が表示される側視視野画像６６ｂのみを配置する構成であってもよい。【００７９】
また、本実施形態では、モニタ３５に複数の画像を表示しているが、これに限定されるものではない。例えば、図１１Ｂに示すように、複数の、例として３台のモニタ３５を隣接して配置し、中央のモニタ３５に直視視野画像６６ａを表示し、両隣のモニタ３５にそれぞれ側視視野画像６６ｂ及び６６ｃを表示する構成のように、直視視野画像を表示するモニタ３５と側視視野画像を表示するモニタ３５とが隣り合っている構成であってもよい。【００８０】
このように、先端部６ａの先端面に直視視野画像を取得する直視観察窓６０ａを設け、先端部６ａの周方向に側視視野画像を取得する複数の側視観察窓６０ｂ及び６０ｃを設け、モニタ３５に複数の画像（直視視野画像６６ａ、側視視野画像６６ｂ、及び６６ｃ）を表示する構成であっても、直視視野画像６６ａの処置具の像５０と側視視野画像６６ｂの処置具の像５１との中心軸を略一致させることができる。【００８１】
勿論、第１の実施形態と同様、対象物の像は、処置具の像に限定されることなく、視野内で観察される他の要素の像であってもよい。【００８２】
よって、本実施形態の内視鏡システム１によれば、第１の実施形態と同様に、内視鏡の製造・加工の手間を増やすことなく、直視視野と側視視野とで観察された視野内の対象物（処置具等の像）を連続させるといったように違和感なく隣接させることで、広角内視鏡下での処置具による処置の作業性を向上させることができる。【００８３】
（第３の実施形態）
次に、第３の実施形態について説明する。【００８４】
本実施形態の内視鏡システムは、第１の実施形態と同様に構成であり、画像処理部３２ａの構成が第１の実施形態と異なっている。【００８５】
図１２は、第３の実施形態に係る画像処理部の構成を説明するための図であり、図１３Ａ〜図１３Ｃは、モニタに表示される処置具の像を含む観察画像の一例を示す図である。なお、図１２において、図６と同様の構成については、同一の符号を付して説明を省略する。【００８６】
図１２に示すように、本実施形態の画像処理部３２ａは、図６の画像移動量算出部４３に代わり、画像拡大／縮小率算出部７０を備えて構成されている。【００８７】
画像拡大／縮小率算出部７０は、所定の対象物、例えば中心軸認識部４２で認識された直視視野画像の処置具の像５０の中心軸と、側視視野画像の処置具の像５１の中心軸とから、それぞれ直視視野画像の処置具の像５０の基端と、側視視野画像の処置具の像５１の先端とを検出する。そして、画像拡大／縮小率算出部７０は、検出した直視視野画像の処置具の像５０の基端と側視視野画像の処置具の像５１の先端とが略一致するような、直視視野画像または側視視野画像の拡大／縮小率を算出する。【００８８】
画像生成部４４は、画像拡大／縮小率算出部７０により算出された拡大／縮小率に基づいて、検出した直視視野画像の処置具の像５０の基端と側視視野画像の処置具の像５１の先端とが略一致するように、直視視野画像または側視視野画像の表示倍率を縦横で変倍する（直視視野画像または側視視野画像を歪ませる）。【００８９】
なお、画像生成部４４は、例えば側視視野画像の表示倍率を縦横で変倍する場合、側視視野画像の全体を変倍するのではなく、処置具の像５１の付近のみを変倍するようにする。これにより、処置具の像５１の付近の画像を変倍することで、画像全体のズレに影響を与えないようにする。【００９０】
また、画像生成部４４は、直視視野画像及び側視視野画像の表示倍率を縦横で変倍するようにしてもよい。このように、両方の視野画像を変倍することにより、各視野画像の歪み量が小さくなり、歪みによる違和感を低減することができる。【００９１】
例えば、図１３Ａでは、直視視野画像の表示倍率を縦横で変倍し、直視視野画像の処置具の像５０の基端と側視視野画像の処置具の像５１の先端とを略一致させている。また、図１３Ｂでは、側視視野画像の表示倍率を縦横で変倍し、直視視野画像の処置具の像５０の基端と側視視野画像の処置具の像５１の先端とを略一致させている。また、図１３Ｃでは、直視視野画像及び側視視野画像の表示倍率を縦横で変倍し、直視視野画像の処置具の像５０の基端と側視視野画像の処置具の像５１の先端とを略一致させている。【００９２】
次に、このように構成された内視鏡システム１の動作について説明する。【００９３】
図１４は、第３の実施形態の画像処理部による画像処理の一例について説明するためのフローチャートである。なお、図１４において、図８と同様の処理については、同一の符号を付して説明を省略する。また、図１４のフローチャートでは、側視視野画像の表示倍率を縦横で変倍する例について説明するが、上述したように、直視視野画像の表示倍率を縦横で変倍してもよいし、直視視野画像及び側視視野画像の表示倍率を縦横で変倍してもよい。【００９４】
ステップＳ５において、直視視野で観察された処置具の像の中心軸が算出されると、画像拡大／縮小率算出部７０が直視視野画像の処置具の像の基端と、側視視野画像の処置具の像の先端を検出する（ステップＳ１１）。次に、画像拡大／縮小率算出部７０が直視視野で観察された処置具の像の基端と略一致するような、側視視野で観察された処置具の像の拡大／縮小率を算出する（ステップＳ１２）。【００９５】
次に、ステップＳ７において、側視視野画像のみを認識して側視視野画像のみが切り出されると、画像生成部４４が直視視野画像の処置具の像の基端と、側視視野画像の処置具の像の先端とが略一致するように、側視視野画像の表示倍率を縦横で変倍する（ステップＳ１３）。最後に、画像生成部４４が直視視野画像の処置具の像の基端と、側視視野画像の処置具の像の先端とが略一致した画像信号を生成し（ステップＳ１４）、処理を終了する。このように生成された画像信号は、画像出力部３２ｂを介してモニタ３５に表示される。【００９６】
以上のように、内視鏡システム１は、直視視野画像の処置具の像と側視視野画像の処置具の像とのズレを検出して、そのズレ量に応じて直視視野画像または側視視野画像を処置具の像の付近のみを変倍させ、直視視野画像の処置具の像の基端と側視視野画像の処置具の像の先端とを略一致するようにした。これにより、直視視野画像と側視視野画像の処置具の像が連続的に接続されるため、処置具の視認性及び操作性を向上させることができる。【００９７】
よって、本実施形態の内視鏡システムによれば、第１の実施形態と同様の効果を有するとともに、直視視野画像または側視視野画像の処置具の像の付近のみを変倍しているので、画像全体のズレに影響を与えることがない。【００９８】
（第４の実施形態）
次に、第４の実施形態について説明する。【００９９】
本実施形態の画像処理部３２ａの構成は、図６の第１の実施形態の画像処理部３２ａの構成と同様であり、第１の実施形態の画像処理部３２ａと異なる処理についてのみ説明する。【０１００】
画像移動量算出部４３は、直視視野画像の処置具の像５０の基端と、側視視野画像の処置具の像５１の先端とを検出し、これらの基端と先端とが略一致するような、画像移動量を算出する。【０１０１】
画像生成部４４は、画像移動量算出部４３で算出された画像移動量に基づいて、直視視野画像または側視視野画像の座標位置を移動する。【０１０２】
図１５Ａ及び図１５Ｂは、モニタに表示される処置具の像を含む観察画像の一例を示す図である。【０１０３】
図１５Ａ及び図１５Ｂの例では、直視視野画像の座標を図面に向かって左斜め下方向に移動させることで、直視視野画像の処置具の像５０と側視視野画像の処置具の像５１との中心軸が略一致するようにしている。なお、座標を移動させる画像は、直視視野画像に限定されることなく、側視視野画像の座標を移動させてもよいし、直視視野画像及び側視視野画像の両方の座標を移動させてもよい。【０１０４】
次に、このように構成された内視鏡システムの動作について説明する。【０１０５】
図１６は、第４の実施形態の画像処理部による画像処理の一例について説明するためのフローチャートである。なお、図１６において、図８と同様の処理については、同一の符号を付して説明を省略する。また、図１６のフローチャートでは、側視視野画像の座標を移動させる例について説明するが、上述したように、直視視野画像の座標を移動させてもよいし、直視視野画像及び側視視野画像の座標を移動させてもよい。【０１０６】
ステップＳ５において、直視視野で観察された処置具の像の中心軸が算出されると、画像移動量算出部４３が直視視野画像の処置具の像の基端と、側視視野画像の処置具の像の先端とを検出する（ステップＳ２１）。次に、画像移動量算出部４３が直視視野で観察された処置具の像の基端と側視視野で観察された処置具の像の先端とが略一致するような、側視視野画像の移動量を算出する（ステップＳ２２）。【０１０７】
次に、ステップＳ７において、側視視野画像のみを認識して側視視野画像のみが切り出されると、画像生成部４４が直視視野画像の処置具の像の基端と、側視視野画像の処置具の像の先端とが略一致するように、側視視野画像の座標を移動する（ステップＳ２３）。最後に、画像生成部４４が直視視野画像の処置具の像の基端と、側視視野画像の処置具の像の先端とが略一致した画像信号を生成し（ステップＳ２４）、処理を終了する。このように生成された画像信号は、画像出力部３２ｂを介してモニタ３５に表示される。【０１０８】
以上のように、内視鏡システム１は、直視視野画像の処置具の像と側視視野画像の処置具の像とのズレを検出して、そのズレ量に応じて直視視野画像または側視視野画像の座標を移動し、直視視野画像の処置具の像の基端と側視視野画像の処置具の像の先端とを略一致するようにした。これにより、直視視野画像と側視視野画像の処置具の像の中心軸が略一致するため、処置具の視認性及び操作性を向上させることができる。【０１０９】
よって、本実施形態の内視鏡システムによれば、第１の実施形態と同様の効果を有するとともに、直視視野画像または側視視野画像を表示する座標を変更するだけのため、歪みや見ている画像を変える必要がなく、処置具の視認性及び操作性をさらに向上させることができる。【０１１０】
（第５の実施形態）
次に、第５の実施の形態について説明する。【０１１１】
本実施形態の画像処理部３２ａの構成は、図１２の第３の実施形態の画像処理部３２ａの構成と同様であり、第３の実施形態の画像処理部３２ａと異なる処理についてのみ説明する。【０１１２】
画像拡大／縮小率算出部７０は、処置具の像の中心軸認識部４２で認識された直視視野画像の処置具の像５０の中心軸と、側視視野画像の処置具の像５１の中心軸とから、直視視野画像の処置具の像５０の中心軸に重なるような、側視視野画像の処置具の像５１の拡大率を算出する。【０１１３】
画像生成部４４は、側視視野画像から側視視野画像の処置具の像５１のみを切り出し、画像拡大／縮小率算出部７０で算出された拡大率に基づいて、側視視野画像の処置具の像５１を拡大する。【０１１４】
図１７Ａ及び図１７Ｂは、モニタに表示される処置具の像を含む観察画像の一例を示す図である。【０１１５】
図１７Ａ及び図１７Ｂの例では、側視視野画像の処置具の像５１のみを拡大し、側視視野画像の処置具の像５１が直視視野画像の処置具の像５０の中心軸に重なるようにしている。なお、拡大する処置具の像は、側視視野画像の処置具の像５１に限定されることなく、直視視野画像の処置具の像５０を拡大してもよいし、直視視野画像の処置具の像５０及び側視視野画像の処置具の像５１の両方を拡大してもよい。【０１１６】
次に、このように構成された内視鏡システムの動作について説明する。【０１１７】
図１８は、第５の実施形態の画像処理部による画像処理の一例について説明するためのフローチャートである。なお、図１８において、図８と同様の処理については、同一の符号を付して説明を省略する。また、図１８のフローチャートでは、側視視野画像の処置具の像を拡大する例について説明するが、上述したように、直視視野画像の処置具の像を拡大してもよいし、直視視野画像及び側視視野画像の処置具の像を拡大してもよい。【０１１８】
ステップＳ５において、直視視野で観察された処置具の像の中心軸が算出されると、画像拡大／縮小率算出部７０が直視視野で観察された処置具の像の中心軸と、側視視野で観察された処置具の像とが重なるような、側視視野画像の処置具の像の拡大率を算出する（ステップＳ３１）。【０１１９】
次に、画像生成部４４が側視視野画像のみを認識して、側視視野画像の処置具の像のみを切り出す（ステップＳ３２）。そして、画像生成部４４が直視視野画像の処置具の像の中心軸と、側視視野画像の処置具の像とが重なるように、側視視野画像の処置具の像を拡大する（ステップＳ３３）。最後に、画像生成部４４が直視視野画像の処置具の像の中心軸と、側視視野画像の処置具の像とが重なった画像信号を生成し（ステップＳ３４）、処理を終了する。このように生成された画像信号は、画像出力部３２ｂを介してモニタ３５に表示される。【０１２０】
以上のように、内視鏡システム１は、直視視野画像の処置具の像と側視視野画像の処置具の像とのズレを検出して、そのズレ量に応じて直視視野画像または側視視野画像の処置具の像の拡大率を変更した。そして、内視鏡システム１は、直視視野画像の処置具の像と側視視野画像の処置具の像の中心軸とを重なる、または、直視視野画像の処置具の像の中心軸と側視視野画像の処置具の像とを重なるようにした。これにより、直視視野画像の処置具の像と側視視野画像の処置具の像とが略一致するため、処置具の視認性及び操作性を向上させることができる。【０１２１】
よって、本実施形態の内視鏡システムによれば、第１の実施形態と同様の効果を有するとともに、処置具の像の部分だけ拡大率を変更するため、上述した各実施形態よりも画面全体の処理を行う必要がなく、画像処理の負荷を軽減することができる。【０１２２】
なお、第３の実施形態から第５の実施形態の内視鏡システム１に対して、モニタ３５に複数の画像を隣接して配置する第２の実施形態の内視鏡システム１を適用してもよい。図１９Ａ〜図１９Ｅは、第３の実施形態から第５の実施形態の内視鏡システムに対して、第２の実施形態の内視鏡システムを適用した際の画面表示の例を示す図である。【０１２３】
図１９Ａは、第３の実施形態の内視鏡システム１に対して、第２の実施形態の内視鏡システム１を適用した例である。図１９Ａに示すように、側視視野画像６６ｂの処置具の像５１を歪ませて、直視視野画像６６ａの処置具の像５０の中心軸と側視視野画像６６ｂの処置具の像５１の中心軸とを略一致させている。【０１２４】
また、図１９Ｂは、第４の実施形態の内視鏡システム１に対して、第２の実施形態の内視鏡システム１を適用した例である。図１９Ｂに示すように、側視視野画像６６ｂの座標位置を変更（側視視野画像６６ｂを平行移動）して、直視視野画像６６ａの処置具の像５０の基端と側視視野画像６６ｂの処置具の像５１の先端とを略一致させている。【０１２５】
この際、側視視野画像６６ｂと、側視視野画像６６ｂを表示するエリアとを同時に平行移動させてもよいが、側視視野画像６６ｂを表示するエリアを移動させずに、側視視野画像６６ｂだけ平行移動するような設定であってもよい。【０１２６】
また、図１９Ｃは、第５の実施形態の内視鏡システム１に対して、第２の実施形態の内視鏡システム１を適用した例である。図１９Ｃに示すように、側視視野画像の処置具の像５１のみを拡大して、直視視野画像６６ａの処置具の像５０の中心軸と側視視野画像６６ｂの処置具の像５１とを略一致させている。【０１２７】
また、図１９Ｄは、第３、第４及び第５の実施形態を組み合わせた内視鏡システム１に対して、第２の実施形態の内視鏡システム１を適用した例であり、図１９Ｅは、重複する部分を画像信号から削除して表示させる例である。【０１２８】
図１９Ｄに示すように、図１９Ｂに示す平行移動を行うとともに、図１９Ａ、図１９Ｃに示す変形や拡大処理をこれに組み合わせてもよい。また、このように複数の画面を表示させる実施形態の場合、隣り合う２つの画像信号間で重複する部分が発生していたら、ビデオプロセッサ３２は、その重複する部分を画像信号から削除して表示させてもよい（図１９Ｅ参照）。【０１２９】
また、上述した第２の実施形態及び各変形例において、側方を照明及び観察する機能を実現する機構は、前方を照明及び観察する機能を実現する機構とともに、挿入部４の先端部６に内蔵されているが、側方を照明及び観察する機能を実現する機構は、挿入部４に対して着脱可能な別体にしてもよい。【０１３０】
図２０は、側方観察用のユニットが取り付けられた挿入部４の先端部６の斜視図である。挿入部４の先端部６は、前方視野用ユニット１００を有している。側方視野用ユニット１１０は、前方視野用ユニット１００に対してクリップ部１１１により着脱自在な構成を有している。【０１３１】
側方視野用ユニット１１０は、左右方向の画像を取得するための２つの観察窓１１２と、左右方向を照明するための２つの照明窓１１３とを有している。【０１３２】
ビデオプロセッサ３２等は、側方視野用ユニット１１０の各照明窓１１３の点灯と消灯を、前方視野のフレームレートに合わせて行うようにして、上述した実施形態に示したような観察画像の取得と表示を行うことができる。【０１３３】
（第６の実施形態）
次に、第６の実施形態について説明する。【０１３４】
図２１は、第６の実施形態における要部の構成を示す図である。なお、図２１において図５と同様の構成については、同一の符号を付して説明を省略する。【０１３５】
図２１に示すように、ビデオプロセッサ３２は、図５のビデオプロセッサに対して、設定記憶部３２ｃが追加されて構成されている。【０１３６】
上述した各実施形態では、処置具による処置時（すなわち、処置具が内視鏡２により観察されている時）に、直視視野画像の処置具の像５０と側視視野画像の処置具の像５１とのズレ量を算出し、画像補正を行っていた。【０１３７】
これに対し、本実施形態では、処置具による処置時ではなく、内視鏡２の組み立て後に処置具を先端開口部１７から突出させ、予め内視鏡２毎の直視視野画像の処置具の像と側視視野画像の処置具の像とのズレ量を算出する。そして、設定記憶部３２ｃは、内視鏡２の組み立て後に算出されたズレ量を内視鏡情報として記憶する。【０１３８】
画像処理部３２ａは、内視鏡観察時に設定記憶部３２ｃに予め記憶された内視鏡情報（ズレ量）に基づいて、直視視野画像または側視視野画像を画像補正する。この画像補正は、上述した各実施形態の画像補正のいずれかを用いればよい。【０１３９】
このように、内視鏡システム１は、内視鏡２毎のズレ量を予め内視鏡情報として設定記憶部３２ｃに記憶しておき、この内視鏡情報を用いて画像補正を行うことで、上述した各実施形態と同様に、直視視野画像の処置具の像５０と側視視野画像の処置具の像５１とを略一致させることができる。さらに、内視鏡システム１は、設定記憶部３２ｃに予め記憶された内視鏡情報を用いて画像補正を行うため、処置具の像を認識していない状態、すなわち、処置具を用いて処置を行っていない状態でも、ズレ量を補正した直視視野画像及び側視視野画像をモニタ３５に表示することができる。【０１４０】
よって、本実施形態の内視鏡システムによれば、第１の実施形態と同様の効果を有するとともに、処置具の像を認識していない状態でも、ズレ量を補正した直視視野画像及び側視視野画像をモニタ３５に表示することができる。【０１４１】
なお、処置具の挿入の有無に応じて画像補正を自動でＯＮまたはＯＦＦしてもよいし、例えば切り替えスイッチ等を設け、画像補正を手動でＯＮまたはＯＦＦすることができるようにしてもよい。この画像補正の切替えは、上述した第１の実施形態から第５の実施形態でも同様に適用することができる。【０１４２】
なお、本明細書におけるフローチャート中の各ステップは、その性質に反しない限り、実行順序を変更し、複数同時に実行し、あるいは実行毎に異なった順序で実行してもよい。【０１４３】
本発明は、上述した実施形態に限定されるものではなく、本発明の要旨を変えない範囲において、種々の変更、改変等が可能である。【０１４４】
本出願は、２０１４年２月１４日に日本国に出願された特願２０１４−２６８３３号公報を優先権主張の基礎として出願するものであり、上記の開示内容は、本願明細書、請求の範囲、図面に引用されたものとする。
【図１】
0005889495.tif 000002
【図２】
0005889495.tif 000003
【図３】
0005889495.tif 000004
【図４】
0005889495.tif 000005
【図５】
0005889495.tif 000006
【図６】
0005889495.tif 000007
【図７Ａ】
0005889495.tif 000008
【図７Ｂ】
0005889495.tif 000009
【図７Ｃ】
0005889495.tif 000010
【図７Ｄ】
0005889495.tif 000011
【図７Ｅ】
0005889495.tif 000012
【図８】
0005889495.tif 000013
【図９】
0005889495.tif 000014
【図１０】
0005889495.tif 000015
【図１１Ａ】
0005889495.tif 000016
【図１１Ｂ】
0005889495.tif 000017
【図１２】
0005889495.tif 000018
【図１３Ａ】
0005889495.tif 000019
【図１３Ｂ】
0005889495.tif 000020
【図１３Ｃ】
0005889495.tif 000021
【図１４】
0005889495.tif 000022
【図１５Ａ】
0005889495.tif 000023
【図１５Ｂ】
0005889495.tif 000024
【図１６】
0005889495.tif 000025
【図１７Ａ】
0005889495.tif 000026
【図１７Ｂ】
0005889495.tif 000027
【図１８】
0005889495.tif 000028
【図１９Ａ】
0005889495.tif 000029
【図１９Ｂ】
0005889495.tif 000030
【図１９Ｃ】
0005889495.tif 000031
【図１９Ｄ】
0005889495.tif 000032
【図１９Ｅ】
0005889495.tif 000033
【図２０】
0005889495.tif 000034
【図２１】
0005889495.tif 000035